(57)【特許請求の範囲】
【請求項１】
表面と裏面とを具備し、入力部及び表示部の少なくともいずれか一方を前記表面に具備する筐体である第１の筐体と第２の筐体と第３の筐体と第４の筐体とからなり、
前記各筐体の各表面が外側になるように環状に前記各筐体が配置され、
前記第１の筐体の表面と前記第２の筐体の表面とが略矩形状を略同一平面上に形成し、前記第３の筐体の表面と前記第４の筐体の表面とが略矩形状を略同一平面上に形成する第１の使用状態と、
前記第１の筐体の表面と前記第４の筐体の表面とが略矩形状を略同一平面上に形成し、前記第２の筐体の表面と前記第３の筐体の表面とが略矩形状を略同一平面上に形成する第２の使用状態と、
を有するように、隣接する筐体同士を裏面側に折り畳み可能に、前記各筐体が連結されている
ことを特徴とする携帯端末。
【請求項２】
前記第１の筐体と前記第２の筐体とを連結し、前記第２の筐体と前記第３の筐体とを連結し、前記第３の筐体と前記第４の筐体とを連結し、前記第４の筐体と前記第１の筐体とを連結するように、前記各筐体を連結することを特徴とする請求項１に記載の携帯端末。
【請求項３】
表面と裏面とを具備し、入力部及び表示部の少なくともいずれか一方を前記表面に具備する筐体である第１の筐体、第２の筐体、第３の筐体、第４の筐体と、
前記第１の筐体の一の端部と前記第２の筐体の一の端部とを連結する第１のヒンジと、  前記第２の筐体の他の端部と前記第３の筐体の一の端部とを連結する第２のヒンジと、  前記第３の筐体の他の端部と前記第４の筐体の一の端部とを連結する第３のヒンジと、  前記第４の筐体の他の端部と前記第１の筐体の他の端部とを連結する第４のヒンジと、  を有し、
前記各筐体の各表面が外側になるように環状に前記各筐体が配置され、
前記第１の筐体の表面と前記第２の筐体の表面とが略矩形状を略同一平面上に形成し、前記第３の筐体の表面と前記第４の筐体の表面とが略矩形状を略同一平面上に形成する第１の使用状態と、
前記第１の筐体の表面と前記第４の筐体の表面とが略矩形状を略同一平面上に形成し、前記第２の筐体の表面と前記第３の筐体の表面とが略矩形状を略同一平面上に形成する第２の使用状態と、
を有するように、前記各筐体が連結されていることを特徴とする携帯端末。
【請求項４】
前記第１の筐体と前記第３の筐体との大きさが略同一であり、前記第２の筐体と前記第４の筐体との大きさが略同一であることを特徴とする請求項１〜３のいずれか一項に記載の携帯端末。
【請求項５】
前記第１の使用状態になったことを感知する第１の感知センサと、前記第２の使用状態になったことを感知する第２の感知センサとを具備し、
前記第１の感知センサが前記第１の使用状態になったことを感知した場合、または、前記第２の感知センサが前記第２の使用状態になったことを感知した場合には、前記各筐体が具備する表示部の少なくともいずれか一の表示を、使用状態に応じて制御する表示制御部を有することを特徴とする請求項１〜４のいずれか一項に記載の携帯端末。
【請求項６】
前記第１の筐体と前記第２の筐体とが表示部を具備し、
前記表示制御部は、前記第１の感知センサが前記第１の使用状態になったことを感知した場合には、表示すべき一の画像情報を分割し、分割した画像情報を前記第１の筐体の表示部と前記第２の筐体の表示部とに表示し、前記第１の筐体の表示部の表示と前記第２の筐体の表示部の表示とを組み合わせることによって当該一の画像情報を表示することを特徴とする請求項１〜５のいずれか一項に記載の携帯端末。
【発明の詳細な説明】
【技術分野】
【０００１】
（関連出願）本願は、先の日本特許出願２００６−１９８０２７号（２００６年７月２０日出願）の優先権を主張するものであり、前記先の出願の全記載内容は、本書に引用をもって繰込み記載されているものとみなされる。【０００２】
本発明は、多目的マルチメディア対応の折り畳み携帯電話等の携帯端末に関する。
【背景技術】
【０００３】
現在では、携帯電話の用途が多様化し、音楽やテレビの視聴、インターネット接続等の幅広い分野に広がっている。このような状況において、高度な機能を複数備えている多目的マルチメディア対応の携帯電話等が多数開発され、これらの高度な機能を簡単に使用して携帯ライフを楽しみたいというユーザの要望は日々増加している。【０００４】
ところで、携帯型端末、特に携帯電話の場合には、その構造上、表示部・操作部等の設置スペースが限られている場合が多い。このように、表示部・操作部等の設置スペースが限られているので、高度な機能を複数備えている携帯電話においては、所望する機能を使用する場合に、ユーザが複雑な操作を順次実行する必要がある。【０００５】
例えば、受像機能を含む複数の機能を備えている携帯電話において受像画像を視聴する場合、待ち受け画面からメインメニューに切り替え、受像画像を視聴するための操作をユーザが順次実行する。【０００６】
ところで、通常の携帯電話には１つの表示部が設けられ、この表示部を見ながら通話の際の電話番号入力操作を実行し、この表示部でテレビの視聴等をする。なお、テレビの視聴をする場合には、比較的大きな表示画面が見易い。しかし、携帯電話の場合には、表示部の設置スペースが限られている場合が多いので、大きな表示画面とすることには限界がある。【０００７】
これに対して、特許文献１には、複数の出力表示器と、この複数の出力表示器の各表示面を平面的に並べ得るように連結する画面拡大機構と、この複数の出力表示器に１つの出力表示を分割して表示する表示制御装置とを具備する携帯型電子機器が開示されている。【０００８】
一方、通話の際には、相手先の電話番号情報等を表示部に表示する程度のことが多く、通話中は表示部の表示を見ることが少ないので、表示画面がそれほど大きくなくてもよいと考えられる。【０００９】
【特許文献１】特開平５−２９８２５７号公報
【発明の開示】
【発明が解決しようとする課題】
【００１０】
なお、上記特許文献１の全開示内容はその引用をもって本書に繰込み記載する。以下の分析は、本発明の観点から与えられる。【００１１】
複数の機能を備えている携帯電話において携帯電話を使用する用途に応じて表示画面を切り替えることができれば、携帯電話を効率的に使用することができる。しかし、所望する機能を使用する場合、特に、使用する用途に応じて表示画面を切り替える場合には、上記で示したように、ユーザが複雑な操作を順次実行する必要があるので、これらの操作が煩雑であるという問題があった。【００１２】
本発明は、上記で示した問題点に鑑みてなされたものであり、複数の機能を有する携帯端末において、所望の機能を使用する場合に、所望する機能を使用するための操作が容易である携帯端末を提供することを目的とする。【００１３】
また、本発明は、複数の機能を有する携帯端末において、所望の機能を使用する場合に、所望する機能の用途に応じて表示画面を容易に切り替えることができる携帯端末を提供することを目的とする。
【課題を解決するための手段】
【００１４】
本発明の第１視点によれば、表面と裏面とを具備し、入力部及び表示部の少なくともいずれか一方を表面に具備する筐体である第１の筐体と第２の筐体と第３の筐体と第４の筐体とからなり、各筐体の各表面が外側になるように環状に各筐体が配置され、第１の筐体の表面と第２の筐体の表面とが略矩形状を略同一平面上に形成し、第３の筐体の表面と第４の筐体の表面とが略矩形状を略同一平面上に形成する第１の使用状態と、第１の筐体の表面と第４の筐体の表面とが略矩形状を略同一平面上に形成し、第２の筐体の表面と第３の筐体の表面とが略矩形状を略同一平面上に形成する第２の使用状態と、を有するように、隣接する筐体同士を裏面側に折り畳み可能に、各筐体が連結されている携帯端末を提供する。なお、上記第１視点の好ましい形態によれば、第１の筐体と第２の筐体とを連結し、第２の筐体と第３の筐体とを連結し、第３の筐体と第４の筐体とを連結し、第４の筐体と第１の筐体とを連結するように、各筐体が連結されている。
【００１５】
また、本発明の第２視点によれば、表面と裏面とを具備し、入力部及び表示部の少なくともいずれか一方を表面に具備する筐体である第１の筐体、第２の筐体、第３の筐体、第４の筐体と、第１の筐体の一の端部と第２の筐体の一の端部とを連結する第１のヒンジと、第２の筐体の他の端部と第３の筐体の一の端部とを連結する第２のヒンジと、第３の筐体の他の端部と第４の筐体の一の端部とを連結する第３のヒンジと、第４の筐体の他の端部と第１の筐体の他の端部とを連結する第４のヒンジとを有し、各筐体の各表面が外側になるように環状に各筐体が配置され、第１の筐体の表面と第２の筐体の表面とが略矩形状を略同一平面上に形成し、第３の筐体の表面と第４の筐体の表面とが略矩形状を略同一平面上に形成する第１の使用状態と、第１の筐体の表面と第４の筐体の表面とが略矩形状を略同一平面上に形成し、第２の筐体の表面と第３の筐体の表面とが略矩形状を略同一平面上に形成する第２の使用状態と、を有するように、各筐体が連結されている携帯端末を提供する。
【００１６】
上記第１視点及び第２視点の好ましい形態によれば、第１の筐体と第３の筐体との大きさが略同一であり、第２の筐体と第４の筐体との大きさが略同一である。【００１８】
上記第１視点及び第２視点の好ましい形態によれば、第１の使用状態になったことを感知する第１の感知センサと、第２の使用状態になったことを感知する第２の感知センサとを具備し、第１の感知センサが第１の使用状態になったことを感知した場合、または、第２の感知センサが第２の使用状態になったことを感知した場合には、各筐体が具備する表示部の少なくともいずれか一の表示を、使用状態に応じて制御する表示制御部を有する。【００１９】
上記第１視点及び第２視点の好ましい形態によれば、第１の筐体と第２の筐体とが表示部を具備し、表示制御部は、第１の感知センサが第１の使用状態になったことを感知した場合には、表示すべき一の画像情報を分割し、分割した画像情報を第１の筐体の表示部と第２の筐体の表示部とに表示し、第１の筐体の表示部の表示と第２の筐体の表示部の表示とを組み合わせることによって当該一の画像情報を表示する。
【発明の効果】
【００２０】
本発明によれば、複数の機能を有する携帯端末において、所望の機能を使用する場合に、所望する機能を使用するための操作が容易であるという効果を奏する。【００２１】
また、本発明によれば、複数の機能を有する携帯端末において、所望の機能を使用する場合に、所望する機能の用途に応じて表示画面を容易に切り替えることができるという効果を奏する。
【図面の簡単な説明】
【００２２】
【図１】本発明の第１の実施の形態である携帯電話ＭＦ１の外観を示す図。
【図２】携帯電話ＭＦ１の外観を示す正面図。
【図３】携帯電話ＭＦ１の内部構成を示すブロック図。
【図４】第２の実施の形態である携帯電話ＭＦ２の外観を示す正面図。
【符号の説明】
【００２３】
ＭＦ１、ＭＦ２          携帯電話
１００          第１の筐体部
２００          第２の筐体部
３００          第３の筐体部
４００          第４の筐体部
５００          第１のヒンジ部
６００          第２のヒンジ部
７００          第３のヒンジ部
８００          第４のヒンジ部
１０１          表示部
１０２          入力部
１０３          スピーカ
２０１          制御部
２０２          表示制御部
２０３          記憶部
２０４          音声処理部
２０５          スピーカ
２０６          マイク
２０７          無線部
２０８          アンテナ
２０９          入力部
２１０、２１１          感知センサ
３０１          表示部
３０２          入力部
３０３          スピーカ
４０１          表示部
４０２          入力部
【発明を実施するための最良の形態】
【００２４】
以下に、本発明の実施の形態である携帯電話について、図面を参照して詳細に説明する。【００２５】
［第１の実施の形態］
図１は、本発明の第１の実施の形態である携帯電話ＭＦ１の外観を示す図である。図１（１）は携帯電話ＭＦ１の外観を示す斜視図であり、図１（２）は携帯電話ＭＦ１の外観を示す側面図であり、図１（３）、（４）は携帯電話ＭＦ１の使用状態の外観を示す側面図である。【００２６】
携帯電話ＭＦ１は、第１の筐体部１００と、第２の筐体部２００と、第３の筐体部３００と、第４の筐体部４００と、第１のヒンジ部５００と、第２のヒンジ部６００と、第３のヒンジ部７００と、第４のヒンジ部８００とを有する。【００２７】
第１のヒンジ部５００は、第１の筐体部１００の一端部と第２の筐体部２００の一端部とを相互に回転自在に連結するヒンジ機構であり、第２のヒンジ部６００は、第２の筐体部２００の他の端部と第３の筐体部３００の一端部とを相互に回転自在に連結するヒンジ機構であり、第３のヒンジ部７００は、第３の筐体部３００の他の端部と第４の筐体部４００の一端部とを相互に回転自在に連結するヒンジ機構であり、第４のヒンジ部８００は、第４の筐体部４００の他の端部と第１の筐体部１００の他の端部とを相互に回転自在に連結するヒンジ機構である。【００２８】
なお、各ヒンジ部は、公知の構造によって各筐体部を回動自在に結合し、図１（３）及び（４）に示す状態では各筐体部を固定する結合部である。また、各ヒンジ部は、駆動の役割を果たし、柔軟な折り畳み動作を可能にする。また、第１の筐体部１００と第３の筐体部３００との大きさを略同一とし、第２の筐体部２００と第４の筐体部４００との大きさを略同一とすることが好ましい。【００２９】
図２は、携帯電話ＭＦ１の外観を示す正面図である。
図２（１）は、図１（４）に示す携帯電話ＭＦ１における各表面を示し、図２（２）は、図１（３）に示す携帯電話ＭＦ１における各表面を示す。【００３０】
第１の筐体部１００の表面には、表示部１０１と、入力部１０２と、スピーカ１０３とが設けられている。【００３１】
第２の筐体部２００の表面には、マイク２０６と、入力部２０９とが設けられている。
第３の筐体部３００の表面には、表示部３０１と、入力部３０２と、スピーカ３０３とが設けられている。
第４の筐体部４００の表面には、表示部４０１と、入力部４０２とが設けられている。【００３２】
このように構成することによって、図１（４）に示すように、第１の筐体部１００の裏面と第４の筐体部４００の裏面とが接し、第２の筐体部２００の裏面と第３の筐体部３００の裏面とが接する状態とした場合には、図２（１）に示すように、第１の筐体部１００の表面と第２の筐体部２００の表面とが略矩形状を略同一平面上に形成し、第３の筐体部３００の表面と第４の筐体部４００の表面とが略矩形状を略同一平面上に形成する。このように、図１（４）（図２（１））に示す状態になった場合を、以下では、第１の使用状態と称する。一方、図１（３）に示す状態にした場合には、図２（２）に示す表面を形成する。このように、図１（３）（図２（２））に示す状態になった場合を、以下では、第２の使用状態と称する。【００３３】
また、第１の筐体部１００の表面と第２の筐体部２００の表面とが形成する面を第１の使用面ＭＦ１ａとし、第３の筐体部３００の表面と第４の筐体部４００の表面とが形成する面を第２の使用面ＭＦ１ｂとし、第１の筐体部１００の表面と第４の筐体部４００の表面とが形成する面を第３の使用面ＭＦ１ｃとし、第２の筐体部２００の表面と第３の筐体部３００の表面とが形成する面を第４の使用面ＭＦ１ｄとする。【００３４】
図３は、携帯電話ＭＦ１の内部構成を示すブロック図である。
第２の筐体部２００は、制御部２０１と、表示制御部２０２と、記憶部２０３と、音声処理部２０４と、スピーカ２０５と、マイク２０６と、無線部２０７と、アンテナ２０８と、入力部２０９と、感知センサ２１０、２１１とを有する。【００３５】
制御部２０１は、各入力部から入力された操作情報に従って、ＲＯＭに格納されている各種制御プログラムに基づいて、携帯電話ＭＦ１全体を制御する制御部である。【００３６】
表示制御部２０２は、制御部２０１の指示に従って、各表示部が表示する画像を出力し、各表示部の画像表示を制御するものである。例えば、表示制御部２０２は、感知センサ２１０又は感知センサ２１１が感知した使用状態に応じて、各筐体部の表示部のうち少なくとも１つを制御する。【００３７】
記憶部２０３は、電話帳等の各種データを記憶する記憶部である。【００３８】
音声処理部２０４は、受信した音声情報や制御部２０１が生成した音声情報等を各スピーカに出力すると共に、各マイクから入力された音声情報を変換する処理を実行する音声処理部である。【００３９】
無線部２０７は、アンテナ２０８と接続し、各種情報の送受信処理を実行するものである。なお、アンテナ２０８を携帯電話ＭＦ１に内蔵するようにしてもよい。【００４０】
入力部２０９は、テンキー等を具備し、ユーザによって入力された操作情報を制御部２０１に出力するものである。【００４１】
感知センサ２１０は、携帯電話ＭＦ１が第１の使用状態になった場合に、この状態を感知し、感知情報を制御部２０１に出力するものである。【００４２】
感知センサ２１１は、携帯電話ＭＦ１が第２の使用状態になった場合に、この状態を感知し、感知情報を制御部２０１に出力するものである。【００４３】
第１の筐体部１００は、表示部１０１と、入力部１０２と、スピーカ１０３とを有する。第３の筐体部３００は、表示部３０１と、入力部３０２と、スピーカ３０３とを有する。第４の筐体部４００は、表示部４０１と、入力部４０２とを有する。【００４４】
表示部１０１、３０１、４０１は、表示制御部２０２が出力した各種画像を表示する液晶表示部である。【００４５】
入力部１０２、３０２、４０２は、複数の入力キーを具備し、ユーザによって入力された操作情報を制御部２０１に出力するものである。【００４６】
スピーカ１０３、３０３は、音声処理部２０４が出力した音声情報を出力するスピーカである。【００４７】
次に、携帯電話ＭＦ１の動作について説明する。
携帯電話ＭＦ１は、通常は、第１の使用状態または第２の使用状態で使用される。【００４８】
例えば、第１の使用状態における使用面ＭＦ１ｂは、主に、第３の筐体部３００の入力部３０２の操作ボタン等と、第４の筐体部４００の表示部４０１とを用いてゲームを行う場合に適している。一方、第１の使用状態における使用面ＭＦ１ａは、通常の携帯電話の構成とほぼ同様の構成であるので、主に、通話をする場合に適している。【００４９】
第１の使用状態において、使用面ＭＦ１ｂを用いてゲームをしている際に通話をするような場合には、使用面ＭＦ１ｂの裏面の使用面ＭＦ１ａを使用して容易に電話をうけることができる。【００５０】
また、第２の使用状態における使用面ＭＦ１ｃは、図２（２）に示すように、表示部１０１と表示部４０１とで一の表示画面を形成することができる。このように、比較的大きな画面表示で視聴することができるので、携帯電話ＭＦ１で動画を視聴する場合に適している。また、横長に表示した表示画面で行うゲームをする場合には、使用面ＭＦ１ｃを使用して行うことができる。一方、第２の使用状態における使用面ＭＦ１ｄは、通常の携帯電話を変形した構成であるので、通話をする場合に使用することができる。【００５１】
次に、携帯電話ＭＦ１を第１の使用状態から第２の使用状態に変形する場合について説明する。【００５２】
第１の使用状態の携帯電話ＭＦ１において、ユーザが第１のヒンジ部５００の周辺と第３のヒンジ部７００の周辺とを持ち、第１のヒンジ部５００と第３のヒンジ部７００とを引き離す方向に引っ張る。すると、携帯電話ＭＦ１が図１（２）に示す状態になり、続いて第２の使用状態となる。【００５３】
このように変形した場合には、第２の使用状態になったことを感知センサ２１１が感知し、感知情報を制御部２０１に出力する。この感知情報を制御部２０１が受け取ると、表示制御部２０２に指示を送り、表示制御部２０２は、表示すべき一の画像情報を分割し、分割した画像情報を表示部１０１と表示部４０１とで表示する。このように表示制御をすることによって、表示部１０１と表示部４０１との画像表示を組み合わせると、当該一の画像情報となり、表示部の画像表示を容易に拡大することができる。【００５４】
また、感知情報を制御部２０１が受け取ると、設定に応じて各部に指示を送り、入力情報の表示、画像表示、マイク、スピーカの出力等を適宜制御し、各表示部の少なくともいずれか一の表示を使用状態に応じて制御する。【００５５】
次に、携帯電話ＭＦ１を第２の使用状態から第１の使用状態に変形する場合について説明する。【００５６】
第２の使用状態の携帯電話ＭＦ１において、ユーザが第２のヒンジ部６００の周辺と第４のヒンジ部８００の周辺とを持ち、第２のヒンジ部６００と第４のヒンジ部８００とを引き離す方向に引っ張る。すると、携帯電話ＭＦ１が図１（２）に示す状態になり、続いて第１の使用状態となる。【００５７】
このように変形した場合には、第１の使用状態になったことを感知センサ２１０が感知し、感知情報を制御部２０１に出力する。この感知情報を制御部２０１が受け取ると、表示制御部２０２に指示を送り、表示部１０１と表示部４０１とで分割して表示していた一の画像情報を、設定に応じて、表示部１０１と表示部４０１とのいずれかに表示する。【００５８】
また、感知情報を制御部２０１が受け取ると、設定に応じて各部に指示を送り、入力情報の表示、画像表示、マイク、スピーカの出力等を適宜制御し、各表示部の少なくともいずれか一の表示を使用状態に応じて制御する。【００５９】
［第２の実施の形態］
図４は、第２の実施の形態である携帯電話ＭＦ２の外観を示す正面図である。【００６０】
第２の実施の形態は、第１の実施の形態である携帯電話ＭＦ１において、第３の筐体部３００の一部を変形したものであり、その他の構成は、携帯電話ＭＦ１の構成と同じである。【００６１】
携帯電話ＭＦ２が具備する第３の筐体部３００ａの表面には、表示部３０１ａと、入力部３０２ａと、スピーカ３０３ａとが設けられている。入力部３０２ａは、オーディオプレイヤーの操作に適した操作ボタンからなる。このため、第３の筐体部３００ａの表面と第４の筐体部４００の表面とが形成する面は、オーディオプレイヤー機能を用いて音楽を聴く場合に効果的に使用することができる。【００６２】
また、図４（２）に示す状態にした場合において、第１の筐体部１００の表面と第４の筐体部４００の表面とが形成する面は、第１の実施の形態と同様に、携帯電話ＭＦ２で動画を視聴する場合に適している。一方、第２の筐体部２００の表面と第３の筐体部３００ａの表面とが形成する面は、通常の携帯電話を変形した構成であるので、通話をする場合に使用することができると共に、表示部３０１ａ、入力部３０２ａ等を用いて音楽を聴く場合に使用することができる。【００６３】
このように、図４（２）に示す状態にした場合においては、一方の面で動画を視聴し、他方の面で音楽を聴くことができる。【００６４】
このように、各実施の形態によれば、第１の使用状態と第２の使用状態とに簡単な操作で適宜変形することができる。また、各使用状態において２の使用面を設けることができるので、１の携帯電話で異なった４の使用面を設けることができる。【００６５】
たとえば、各使用面に１の機能を対応させておき、各使用状態にした際に各使用面に対応する機能の開始状態とする設定をしておくことによって、１の携帯電話で少なくとも４の機能の開始状態を容易に操作することができる。【００６６】
また、感知センサにより各使用状態を感知することによって、ソフトウェア的にも各使用状態に応じた設定を自動的に実行することができるので、ユーザが所望する機能を開始するための複雑な操作をする必要がない。また、表示部の表示を反転等する表示制御を実行することによって、バリエーションをさらに増加させることができる。【００６７】
例えば、第３の使用面ＭＦ１ｃでは、テレビの視聴に便利だが、ゲームをする場合は第２の使用面ＭＦ１ｂの方が操作が容易である等のように、使用用途に合わせて携帯電話ＭＦ１を変形させて使用することが可能になる。【００６８】
また、１の携帯電話において４の使用面を容易に操作することができるので、今後多様なサービスが登場した場合にも対応することが可能となる。【００６９】
さらに、シンプルな構成で機能性に影響がないようにすることによって、従来の携帯電話の機能を損なわないように配慮することができる。また、構造的に多様な機能の実施を補助する役目を果たすことができる。【００７０】
つまり、各実施の形態によれば、複数の機能を有する携帯端末において、所望の機能を使用する場合に、所望する機能を使用するための操作が容易である。また、複数の機能を有する携帯端末において、所望の機能を使用する場合に、所望する機能の用途に応じて表示画面を容易に切り替えることができる。【００７１】
なお、各実施の形態で示した各使用面は、電話、ゲーム、テレビ視聴、音楽プレイヤーに適した使用面以外に、他の用途に適した使用面とすることができる。【００７２】
なお、テレビを受像する受像機能等を具備する携帯電話に各実施の形態を適用することができる。
【産業上の利用可能性】
【００７３】
本発明の活用例として、携帯電話以外に、ＰＤＡ、デジタルカメラ、オーディオプレイヤー等の他のモバイル機器、多目的マルチメディア対応の情報処理装置等に適用することができる。【００７４】
本発明は、上記実施の形態に基づいて説明したが、上記実施の形態に限定されるものではない。本発明は、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。また、本発明のさらなる課題、目的及び展開形態は、請求の範囲を含む本発明の全開示事項からも明らかにされる。
【図１】
0005187192.tif 000002
【図２】
0005187192.tif 000003
【図３】
0005187192.tif 000004
【図４】
0005187192.tif 000005